(57)【要約】【課題】カメラの電源を投入してからカメラボディ内の温度が平衡状態に達するまでの過渡状態においても正確な温度補正が可能で高精度の焦点調節を行うこと。【解決手段】第１の温度センサ３０によりカメラボディ２内の温度を検出し、第２の温度センサ３１によりカメラボディ２の外装近傍温度を検出し、タイマー５５により電源投入時からの経過時間を計測し、デフォーカス量演算手段７０によって第１の温度センサ３０により検出されたカメラボディ２内の温度と第２の温度センサ３１により検出されたカメラボディ２の外装近傍の温度とに基づいてデフォーカス量補正初期値Ｃomp iniを求め、この補正初期値Ｃomp iniとタイマー５５により計測の経過時間とに基づいてデフォーカス量補正値Ｃomp(t)を求めて撮影レンズ１４のデフォーカス量を補正する。【選択図】図３
2010039373.tif 000002
【特許請求の範囲】
【請求項１】
撮影レンズを通過した被写体像のデフォーカス量に応じて相対位置が変化する前記被写体像を分割した二像の光量分布を形成する焦点検出光学系と、前記焦点検出光学系により形成された前記光量分布を検出する焦点検出素子と、前記焦点検出素子の出力に基づいて合焦時の光量分布の相対位置からのズレ量に基づいて前記撮影レンズの前記デフォーカス量を求めるデフォーカス量演算手段とから成る焦点調節装置を備えたカメラにおいて、
前記焦点検出素子から離間されると共に、前記焦点検出光学系の近傍に設けられ、カメラボディ内の温度を検出する第１の温度検出手段と、
前記カメラボディ内の発熱部及び前記焦点検出素子から離間されると共に、前記カメラボディの外装部を含む部位に設けられ、前記カメラボディの周囲環境温度を検出する第２の温度検出手段と、
前記焦点検出素子に電源投入してからの経過時間を計測する時間計測手段と、
を具備し、
前記デフォーカス量演算手段は、電源投入時に前記第１の温度検出手段により検出された前記カメラボディ内の温度と前記第２温度検出手段により検出された前記周囲環境温度とに基づいてデフォーカス量補正初期値を求め、当該デフォーカス量補正初期値と前記時間計測手段により計測された前記経過時間とに基づいてデフォーカス量補正値を求め、当該デフォーカス量補正値によって前記デフォーカス量を補正する、
ことを特徴とするカメラ。
【請求項２】
前記デフォーカス量演算手段は、電源投入時の前記第１の温度検出手段により検出された前記カメラボディ内の温度又は前記第２温度検出手段により検出された前記周囲環境温度のいずれか一方の温度に基づいてデフォーカス量補正最大値を求め、当該デフォーカス量補正最大値及び前記カメラボディ内の温度と前記周囲環境温度との差とに基づいて前記デフォーカス量補正初期値を求めることを特徴とする請求項１記載のカメラ。
【請求項３】
前記デフォーカス量演算手段は、前記第１の温度検出手段により検出された前記カメラボディ内の温度と前記第２温度検出手段により検出された前記周囲環境温度との差が小さい程前記デフォーカス量補正初期値を大きくすることを特徴とする請求項２記載のカメラ。
【請求項４】
前記デフォーカス量演算手段は、前記第１の温度検出手段により検出された前記カメラボディ内の温度と前記第２温度検出手段により検出された前記周囲環境温度との差が所定値より小さいときにのみ前記デフォーカス量の補正を行うことを特徴とする請求項１記載のカメラ。
【請求項５】
前記デフォーカス量演算手段は、前記第１の温度検出手段により検出された前記カメラボディ内の温度が前記第２温度検出手段により検出された前記周囲環境温度よりも低いと、前記デフォーカス量補正初期値を前記デフォーカス量補正最大値に制限することを特徴とする請求項３記載のカメラ。
【請求項６】
前記デフォーカス量演算手段は、前記デフォーカス量補正初期値を最大値に設定し、前記時間計測手段による前記経過時間の計測と共に前記デフォーカス量補正値を小さくすることを特徴とする請求項１記載のカメラ。
【請求項７】
前記デフォーカス量演算手段は、前記時間計測手段により計測された前記経過時間が所定時間内のときのみに前記デフォーカス量の補正を行うことを特徴とする請求項１乃至６のうちいずれか１項記載のカメラ。
【請求項８】
前記デフォーカス量演算手段は、前記第１の温度検出手段により検出された前記カメラボディ内の温度又は前記第２温度検出手段により検出された前記周囲環境温度が高くなるに従って補正最大値が低下する関係を予め記憶し、当該予め記憶された関係から電源投入時の前記第１の温度検出手段により検出された前記カメラボディ内の温度又は前記第２温度検出手段により検出された前記周囲環境温度のいずれか一方の温度に対応する前記デフォーカス量補正最大値を求めることを特徴とする請求項２記載のカメラ。
【請求項９】
前記デフォーカス量演算手段は、前記第１の温度検出手段により検出された前記カメラボディ内の温度と前記第２温度検出手段により検出された前記周囲環境温度との差が大きくなるに従って前記デフォーカス量補正初期値が前記デフォーカス量補正最大値から低下する関係を作成し、当該作成された関係から前記カメラボディ内の温度と前記周囲環境温度との差に対応する前記デフォーカス量補正初期値を求めることを特徴とする請求項２記載のカメラ。
【請求項１０】
前記デフォーカス量演算手段は、前記時間計測手段により計測された前記経過時間が過ぎるに従って前記デフォーカス量補正値が前記デフォーカス量補正初期値から低下する関係を作成し、当該作成された関係から前記時間計測手段により計測された前記経過時間に対応する前記デフォーカス量補正値を求めることを特徴とする請求項１記載のカメラ。
【請求項１１】
撮影レンズを通過した被写体像のデフォーカス量に応じて相対位置が変化する前記被写体像を分割した二像の光量分布を検出し、合焦時の前記二像の光量分布からのズレ量に基づいて前記撮影レンズの前記デフォーカス量を求めるカメラの焦点調節方法において、
前記焦点検出素子から離間されると共に、前記焦点検出光学系の近傍に設けられた第１の温度検出手段によってカメラボディ内の温度を検出し、
前記カメラボディ内の発熱部及び前記焦点検出素子から離間されると共に、前記カメラボディの外装部を含む部位に設けられた第２の温度検出手段によって前記カメラボディの周囲環境温度を検出し、
時間計測手段によって電源投入してからの経過時間を計測し、
デフォーカス量演算手段によって電源投入時に前記第１の温度検出手段により検出された前記カメラボディ内の温度と前記第２温度検出手段により検出された前記周囲環境温度とに基づいてデフォーカス量補正初期値を求め、当該デフォーカス量補正初期値と前記時間計測手段により計測された前記経過時間とに基づいてデフォーカス量補正値を求め、当該デフォーカス量補正値によって前記デフォーカス量を補正する、
ことを特徴とするカメラの焦点調節方法。
【発明の詳細な説明】
【技術分野】
【０００１】
本発明は、撮影レンズを通過した被写体像を分割した二像の光量分布を検出し、合焦時の二像の光量分布からのズレ量に基づいて撮影レンズのデフォーカス量を求める焦点検出装置を有するカメラ及びカメラの焦点調節方法に関する。
【背景技術】
【０００２】
カメラの焦点調節に関する技術としては、例えば特許文献１、２に開示されている。このうち特許文献１は、カメラにおける焦点検出装置の温度補償装置について開示する。この温度補償装置は、位相差方式の焦点検出装置において、プラスチックにより一体成形されたレンズの温度変化によるデフォーカス量の変化を電気的に補正するもので、カメラの環境温度を測定し、この環境温度と基準温度との差に定数を乗じて補正値を算出することで、カメラの環境温度によるデフォーカス量の変化を補正する。
【０００３】
特許文献２は、位相差方式の焦点検出装置において、環境温度を測定する温度検出手段の代わりに光電変換を行う焦点検出素子と同一のＩＣチップ上に温度検出手段を設け、焦点検出素子の電源を投入してからの所定の時間以内に繰り返し測定した温度に基づいてデフォーカス量を補正する技術を開示している。
【特許文献１】特開昭６０−２３５１１０号公報
【特許文献２】特開２００５−３１６１８７号公報
【発明の開示】
【発明が解決しようとする課題】
【０００４】
しかしながら、特許文献１に開示されている温度補償装置及び特許文献２に開示されている焦点調節装置には、以下のような問題点がある。特許文献１、２は、カメラの環境温度に対するデフォーカス量の補正を行っている。ところが、実際にはカメラの電源を投入すると、カメラボディ内の電気基板等の発熱部から熱が発生し、この熱が時間経過と共にカメラボディ内に伝導してカメラボディ内の温度が上昇する。そして、カメラボディ内の温度は、その温度分布が変化する過渡的な状態を経たのちに安定な平衡状態に推移する。このため、環境温度に対するデフォーカス量補正の基準値を平衡状態で決定したとしても、過渡的な状態ではデフォーカス量の補正精度が低下してしまう。
【０００５】
カメラの焦点調節装置は、撮影レンズを通過した被写体像を焦点検出光学系により二像に分割して二像の光量分布を形成し、この二像の光量分布を焦点検出素子により光電変換し、この焦点検出素子の出力に基づいて合焦時の光量分布の相対位置からのズレ量に基づいて撮影レンズのデフォーカス量を演算して求めている。  
このようなカメラの焦点調節装置では、例えば焦点検出素子などの発熱部における発熱量が大きく、電源投入とともに焦点検出素子の温度が急激に上昇する。これに対して焦点検出光学系は、例えば焦点検出素子などの発熱部からの熱伝導を受けて緩慢に温度が上昇する。
【０００６】
このため、カメラボディ内の温度上昇が平衡状態に達して温度分布が安定するまでの過渡状態では、カメラボディ内の焦点検出光学系や焦点検出素子、これら焦点検出光学系や焦点検出素子を保持する保持部材、接着剤などが持つ線膨張係数等の熱的特性に応じてデフォーカス量が変化してしまい、このデフォーカス量の変化によって当該デフォーカス量に対する補正が十分に行えないという問題がある。
【０００７】
更に、過渡状態としては、長い時間電源を切断し、カメラ内の温度が環境温度とほぼ等しい状態から再び電源を投入するコールド・スタートからの過渡状態と、カメラが暖まっている状態から短時間だけ電源を切断し、再び電源を投入するウォーム・スタートからの過渡状態とがある。これらコールド・スタートとウォーム・スタートとの各過渡状態では、デフォーカス量に対するそれぞれ異なる補正が必要であるが、かかる過渡状態の違いに全く対応できないという問題がある。
【０００８】
本発明の目的は、カメラの電源を投入してからカメラボディ内の温度が平衡状態に達するまでの過渡状態においても正確な温度補正が可能で高精度の焦点調節を行うことができるカメラ及びカメラの焦点調節方法を提供することにある。
【課題を解決するための手段】
【０００９】
本発明の主要な局面に係るカメラは、撮影レンズを通過した被写体像のデフォーカス量に応じて相対位置が変化する被写体像を分割した二像の光量分布を形成する焦点検出光学系と、焦点検出光学系により形成された光量分布を検出する焦点検出素子と、焦点検出素子の出力に基づいて合焦時の光量分布の相対位置からのズレ量に基づいて撮影レンズのデフォーカス量を求めるデフォーカス量演算手段とから成る焦点調節装置を備えたカメラであって、焦点検出素子から離間されると共に、焦点検出光学系の近傍に設けられ、カメラボディ内の温度を検出する第１の温度検出手段と、カメラボディ内の発熱部及び焦点検出素子から離間されると共に、カメラボディの外装部を含む部位に設けられ、カメラボディの周囲環境温度を検出する第２の温度検出手段と、焦点検出素子に電源投入してからの経過時間を計測する時間計測手段とを具備し、デフォーカス量演算手段は、電源投入時に第１の温度検出手段により検出されたカメラボディ内の温度と第２温度検出手段により検出された周囲環境温度とに基づいてデフォーカス量補正初期値を求め、当該デフォーカス量補正初期値と時間計測手段により計測された経過時間とに基づいてデフォーカス量補正値を求め、当該デフォーカス量補正値によってデフォーカス量を補正する。
【００１０】
本発明の他の主要な局面に係るカメラの焦点調節方法は、撮影レンズを通過した被写体像のデフォーカス量に応じて相対位置が変化する被写体像を分割した二像の光量分布を検出し、合焦時の二像の光量分布のズレ量に基づいて撮影レンズのデフォーカス量を求めるカメラの焦点調節方法であって、焦点検出素子から離間されると共に、焦点検出光学系の近傍に設けられた第１の温度検出手段によってカメラボディ内の温度を検出し、カメラボディ内の発熱部及び焦点検出素子から離間されると共に、カメラボディの外装部を含む部位に設けられた第２の温度検出手段によってカメラボディの周囲環境温度を検出し、時間計測手段によって電源投入してからの経過時間を計測し、デフォーカス量演算手段によって電源投入時に第１の温度検出手段により検出されたカメラボディ内の温度と第２温度検出手段により検出された周囲環境温度とに基づいてデフォーカス量補正初期値を求め、当該デフォーカス量補正初期値と時間計測手段により計測された経過時間とに基づいてデフォーカス量補正値を求め、当該デフォーカス量補正値によってデフォーカス量を補正する。
【発明の効果】
【００１１】
本発明によれば、カメラの電源を投入してからカメラボディ内の温度が平衡状態に達するまでの過渡状態においても正確な温度補正が可能で高精度の焦点調節を行うことができるカメラ及びカメラの焦点調節方法を提供できる。
【発明を実施するための最良の形態】
【００１２】
以下、本発明の一実施の形態について図面を参照して説明する。  
図１はレンズ交換式のカメラ（一眼レフレックスカメラ）の構成図を示す。このカメラ１は、カメラボディ（以下、カメラボディと称する）２と、交換レンズ３とから成る。  
カメラボディ２内には、主にサブミラー４を有するメインミラー５と、カメラボディ２の上部に配置され、ペンタプリズム６を有するファインダ７と、シャッタ８と、撮像素子９と、カメラボディ２の下部に配置された焦点検出ユニット１０と、カメラボディ側コントローラ１１等が設けられている。  
交換レンズ３は、カメラボディ２に対して着脱自在である。この交換レンズ３は、フォーカスレンズ１２とズーム系レンズ１３とからなる撮影レンズ１４と、絞り１５と、ズームリング１６と、図示しないが交換レンズ側コントローラ等を備える。
【００１３】
このようなカメラ１であれば、ファインダ観察状態時、撮影レンズ１４を通過した被写体からの光束は、メインミラー５により一部が反射し、他の一部が透過する。メインミラー５で反射した光束は、ペンタプリズム６を介してファインダ７の接眼部に導かれる。  
一方、メインミラー５を透過した光束は、サブミラー４で反射して焦点検出ユニット１０に導かれる。撮影時には、レリーズスイッチに対する操作によってメインミラー５とサブミラー４とは、撮影レンズ１４の光軸Ｐ上から退避する。これと同時に、シャッタ８が開口することにより撮像素子９に光束が導かれて露光が行われる。
【００１４】
焦点検出ユニット１０は、ＴＴＬ位相差検出方式を採用した焦点検出手段である。この焦点検出ユニット１０は、撮影レンズ１４を通過した光束を絞り込む視野マスク２０と、赤外光をカットする赤外カットフィルタ２１と、光束を集めるためのコンデンサレンズ２２と、光束を全反射する全反射ミラー２３と、光束を制限するセパレータ絞り２４と、光束を再結像させるセパレータレンズ２５と、オートフォーカス（ＡＦ）センサ２６などからなる。
【００１５】
図２は焦点検出ユニット１０における焦点検出光学系の構成を示す。この焦点検出光学系は、被写体側（図２の左側）から撮影レンズ１４と、視野マスク２０と、コンデンサレンズ２２と、セパレータ絞り２４と、セパレータレンズ２５とが配置されている。このうちセパレータ絞り２４は、撮影レンズ１４の光軸Ｐに対して略対称に配置された各開口部２４ａ、２４ｂを有する。セパレータレンズ２５は、セパレータ絞り２４の各開口部２４ａ、２４ｂに対応して配置された各セパレータレンズ２５ａ、２５ｂを有する。なお、全反射ミラー２３と、赤外カットフィルタ２１とは、説明の簡単化のため省略する。
【００１６】
このような焦点検出光学系であれば、例えば撮影レンズ１４の領域１４ａ又は領域１４ｂを介して入射された被写体からの光束は、視野マスク２０、コンデンサレンズ２２、セパレータ絞り２４の開口部２４ａとセパレータレンズ２５ａ、又はセパレータ絞り２４の開口部２４ｂとセパレータレンズ２５ｂを通ってＡＦセンサ２６に入射する。  
このＡＦセンサ２６は、焦点検出素子である光電変換素子アレイ２７を有する。この光電変換素子アレイ２７は、第１の光電変換素子アレイ２７ａと第２の光電変換素子アレイ２７ｂとをライン状に配列して成る。これら第１の光電変換素子アレイ２７ａと第２の光電変換素子アレイ２７ｂとは、各セパレータレンズ２５ａ、２５ｂに対応して配置されている。従って、ＡＦセンサ２６に入射した光束は、第１の光電変換素子アレイ２７ａ上と第２の光電変換素子アレイ２７ｂ上とに再結像される。
【００１７】
撮影レンズ１４が合焦位置にあって、結像面Ｇ上に被写体像Ｉが形成される場合、この被写体像Ｉは、コンデンサレンズ２２及びセパレータレンズ２５ａ、２５ｂによって光軸Ｐに対して垂直な２次結像面の第１と第２の光電変換素子アレイ２７ａ、２７ｂ上に再結像されて第１の像Ｉ１、第２の像Ｉ２になる。  
撮影レンズ１４が前ピン位置にあって、結像面Ｇの前方に被写体像Ｆが形成される場合、この被写体像Ｆは、お互いにより光軸Ｐに近付いた形で光軸Ｐに対して垂直に再結像されて第１の像Ｆ１、第２の像Ｆ２になる。  
さらに、撮影レンズ１４が後ピン位置にあって、結像面Ｇの後方に被写体像Ｒが形成される場合、この被写体像Ｒは、お互いにより光軸Ｐから離れた形で光軸Ｐに対して垂直に再結像されて第１の像Ｒ１、第２の像Ｒ２になる。
【００１８】
これら第１の像Ｉ１と第２の像Ｉ２、第１の像Ｆ１と第２の像Ｆ２、又は第１の像Ｒ１と第２の像Ｒ２の各間隔を検出することにより、撮影レンズ１４の合焦状態を前ピン、後ピンを含めて検出することができる。具体的には、第１の像Ｉ１と第２の像Ｉ２、第１の像Ｆ１と第２の像Ｆ２、又は第１の像Ｒ１と第２の像Ｒ２の光強度分布を光電変換素子アレイ２７の出力信号により求めて両像の間隔を測定することによって合焦状態を検出する。  
なお、各セパレータレンズ２５ａ、２５ｂは、アクリルやポリカーボネイト等の光学プラスチック材料により一体化されて形成されているので、環境温度によって収縮膨張する。このため、合焦状態での第１の像Ｉ１と第２の像Ｉ２、第１の像Ｆ１と第２の像Ｆ２、又は第１の像Ｒ１と第２の像Ｒ２の間隔は、温度により変化し、これによってピント検出誤差となる。
【００１９】
カメラボディ２には、第１の温度センサ３０と、第２の温度センサ３１とが設けられている。このうち第１の温度センサ３０は、焦点検出素子としてのＡＦセンサ２６の光電変換素子アレイ２７から離間されると共に、焦点検出ユニット１０における焦点検出光学系の近傍に設けられている。この第１の温度センサ３０は、カメラボディ２内の温度を検出し、そのカメラボディ内の温度検出信号を出力する。  
第２の温度センサ３１は、カメラボディ２内の発熱部、例えばＡＦセンサ２６の光電変換素子アレイ２７、カメラボディ側コントローラ１１、電源系等から離間されると共に、カメラボディ２の外装部を含む部位、例えばカメラボディ２の正面に設けられている。この第２の温度センサ３１は、カメラボディ２の外装近傍の温度を検出し、その外装近傍の温度検出信号を出力する。なお、温度センサは一般的によく知られているサーミスタ等の素子を使用すればよい。
【００２０】
図３はＡＦセンサ２６及びカメラボディ側コントローラ１１のブロック構成図を示す。ＡＦセンサ２６は、第１と第２の光電変換素子アレイ２７ａ、２７ｂと、センサ処理回路４０とを有する。センサ処理回路４０は、第１と第２の光電変換素子アレイ２７ａ、２７ｂの出力信号から被写体像に応じた画像信号を発生し、この発生した画像信号をカメラボディ側コントローラ１１に出力する。
【００２１】
カメラボディ側コントローラ１１は、本カメラのシーケンスプログラムに従ってカメラの一連の動作制御を行うもので、例えばＣＰＵ（中央処理装置）５０と、ＲＯＭ５１と、ＲＡＭ５２と、ＥＥＰＲＯＭ５３と、Ａ／Ｄコンバータ５４と、タイマー５５とを有する。ＣＰＵ５０は、ＲＯＭ５１に格納されたカメラのシーケンスプログラムを実行することによってカメラの一連の動作制御を行う。ＥＥＰＲＯＭ５３には、ＡＦ制御、測光等に関する補正データが記憶される。  
又、カメラボディ側コントローラ１１には、ＡＦセンサ２６と、測光部５６と、ストロボ部５７と、ミラー駆動部５８と、シャッタ駆動部５９と、撮像素子駆動部６０と、表示部６１と、ファーストレリーズスイッチ６２と、セカンドレリーズスイッチ６３と、第１の温度センサ３０と、第２の温度センサ３１とが接続されている。
【００２２】
カメラボディ側コントローラ１１は、交換レンズ３内のレンズコントローラとの間で通信を行い、カメラボディ２内及び交換レンズ３内の各種調整、補正データの授受や、交換レンズ３内のフォーカス、絞り駆動の制御信号の授受を行い、各制御を行う。  
タイマー５５は、焦点検出素子としての焦点検出素子としてのＡＦセンサ２６の光電変換素子アレイ２７に電源投入してからの経過時間を計測する時間計測手段としての機能を有する。
【００２３】
測光部５６は、被写体の輝度に応じた出力を発生する。カメラボディ側コントローラ１１は、測光部５６の出力をＡ／Ｄコンバータ５４によりＡ／Ｄ変換して測光値としてＲＡＭ５２に格納する。  
ストロボ部５７は、低輝度時の撮影に使用されるもので、カメラボディ側コントローラ１１によって充電、発光タイミング、発光量の制御が行われる。このストロボ部５７は、ＡＦ動作時の補助光としても使用され、ＡＦセンサ２６の蓄積タイミングに同期して所定の発光量で間欠発光する。
【００２４】
ミラー駆動部５８、シャッタ駆動部５９及び撮像素子駆動部６０は、それぞれカメラボディ側コントローラ１１により制御されるもので、それぞれシャッタ８の駆動、撮像素子９の駆動、メインミラー５及びサブミラー４の駆動動作を行う。  
表示部６１は、ＬＣＤ、ＬＥＤ等を内蔵して、カメラの撮影モード、シャッタ速度、絞り値等の表示を行う。
【００２５】
ファーストレリーズスイッチ（１ＲＳＷ）６２とセカンドレリーズスイッチ（２ＲＳＷ）６３とは、レリーズ釦操作に連動するスイッチであり、レリーズ釦の第一段階の押し下げによってファーストレリーズスイッチ６２がオンし、引続いて第二段階の押し下げによってセカンドレリーズスイッチ６３がオンする。カメラボディ側コントローラ１１は、ファーストレリーズスイッチ６２のオンで測光、ＡＦを行う。カメラボディ側コントローラ１１は、セカンドレリーズスイッチ６３のオンで露出動作と撮像素子９からの画像読出し動作を行う。
【００２６】
カメラボディ側コントローラ１１のＲＯＭ５１には、予め当該カメラの焦点調節プログラムが記憶されている。ＣＰＵ５０は、かかるＲＯＭ５１に記憶されているカメラの焦点調節プログラムを実行することによりカメラボディ側コントローラ１１は、例えば図４に示すデフォーカス量演算手段７０の機能を有するものとなる。
【００２７】
このデフォーカス量演算手段７０は、電源投入時に、第１の温度センサ３０により検出されたカメラボディ２内の温度と第２の温度センサ３１により検出された当該カメラ１の外装近傍温度とに基づいてデフォーカス量補正初期値を求める。  
次に、デフォーカス量演算手段７０は、電源投入時からの時間経過に従って変化する温度変化に応じたデフォーカス量補正値を求めるために、デフォーカス量補正初期値とタイマー５５により計測された電源投入時からの経過時間とに基づいてデフォーカス量補正値を求め、このデフォーカス量補正値によって撮影レンズ１４のデフォーカス量を補正する。
【００２８】
すなわち、図５はカメラボディ２内の温度が平衡状態にあるときの焦点検出ユニット１０の温度とデフォーカス量との関係を示す。デフォーカス量は、焦点検出ユニット１０の温度が低下するのに従って小さくなっている。例えば基準温度Ｔｒに対するデフォーカス量を「０」に設定すると、例えば測距時の温度がＴｅのときのデフォーカス量は、基準温度Ｔｒに対するデフォーカス量「０」との差のＦｅになる。
【００２９】
図６は電源オンオフによるＡＦセンサ２６の温度変化Ｔａｆと、第１の温度センサ３０により検出されるカメラボディ２内の温度変化Ｔ１と、第２の温度センサ３１により検出されるカメラボディ２の外装近傍温度Ｔ２の変化とを示す。ＡＦセンサ２６の温度Ｔａｆは、電源オンと同時に環境温度Ｔｆから急激に上昇して平衡状態になり、電源オンと同時に急激に低下して環境温度Ｔｆに戻る。第１の温度センサ３０により検出されるカメラボディ２内の温度Ｔ１は、電源オン時から環境温度Ｔｆから徐々に上昇し、電源オン時から徐々に低下して環境温度Ｔｆに戻る。このカメラボディ２内の温度Ｔ１の変化は、ＡＦセンサ２６の温度Ｔａｆの変化よりも緩慢である。第２の温度センサ３１により検出されるカメラボディ２の外装近傍温度Ｔ２は、カメラボディ２の周囲環境の温度Ｔｆと略一致して変化する。
【００３０】
図７は電源オンからカメラボディ２内の温度が過渡状態から平衡状態に移行するときのデフォーカス量の変化を示す。このデフォーカス量は、電源オンから次第に大きくなる過渡状態を過ぎてから一定となる平衡状態に移る。なお、過渡状態におけるデフォーカス量は、焦点検出ユニット１０の持つ温度特性によって変化量が相違し、例えば平衡状態における焦点検出ユニット１０の温度が高い場合には過渡的なデフォーカス量の変化が小さく、温度が低い場合には過渡的なデフォーカス量の変化が大きくなる。
【００３１】
図８は電源オンオフに伴う焦点検出ユニット１０の温度変化を示す。この焦点検出ユニット１０の温度変化は、カメラボディ２内の温度Ｔ１が環境温度Ｔｆとほぼ等しい状態から電源をオンするコールド・スタートと、カメラボディ２が暖まっている状態から短時間だけ電源を切断し、再び電源をオンするウォーム・スタートとを示す。
【００３２】
第１の温度センサ３０により検出されるカメラボディ２内の温度すなわち焦点検出ユニット１０の温度Ｔ１（＝Ｔ１−１）は、電源がオンすると、環境温度Ｔｆ（＝Ｔｆ１）から次第に大きくなる過渡状態を過ぎてから一定となる平衡状態に移る（コールド・スタート）。  
次に、電源がオフされ、この電源オフ時から短時間の時間経過の後、再び電源がオンされると、焦点検出ユニット１０の温度Ｔ１（＝Ｔ１−１）は、電源オフ時から再電源オン時までの時間経過での低下した温度Ｔｇから次第に大きくなる過渡状態を過ぎてから一定となる平衡状態に移る（ウォーム・スタート）。
【００３３】
コールド・スタートとウォーム・スタートとにおいて電源オン時のスタート時から所定時間、例えば時間ｔ１経過後の焦点検出ユニット１０の温度Ｔ１（＝Ｔ１−１）の各温度変化は、コールド・スタートでΔＴｏｎ＿ａであり、ウォーム・スタートでΔＴｏｎ＿ｂである。なお、コールド・スタートでの温度変化ΔＴｏｎ＿ａは、環境温度Ｔｆ（＝Ｔｆ１）との温度差であり、ウォーム・スタートでの温度変化ΔＴｏｎ＿ｂは、再電源オン時の温度Ｔｇとの温度差である。又、焦点検出ユニット１０の温度Ｔ１（＝Ｔ１−１）とＴ１（＝Ｔ１−２）とは、それぞれ電源オン時の各環境温度Ｔｆ（＝Ｔｆ１）、Ｔｆ（＝Ｔｆ２）が相違する。
【００３４】
本カメラ１は、コールド・スタート又はウォーム・スタートであっても電源投入からカメラボディ２内の温度が平衡状態に達するまでの過渡状態においても正確なデフォーカス量の補正を可能とする。このために本カメラ１は、上記デフォーカス量演算手段７０の機能を有する。  
具体的に、デフォーカス量演算手段７０は、図９に示すように電源投入時の第１の温度センサ３０により検出された焦点検出ユニット１０の温度Ｔ１、又は第２の温度センサ３１により検出されたカメラボディ２の外装近傍温度Ｔ２のいずれか一方の温度に基づいてデフォーカス量補正最大値Ｃomp maxを求め、次に、図１０に示すようにデフォーカス量補正最大値Ｃomp max及び焦点検出ユニット１０の温度Ｔ１とカメラボディ２の外装近傍温度Ｔ２との差（Ｔ１−Ｔ２）とに基づいてデフォーカス量補正初期値Ｃomp iniを求める。
【００３５】
すなわち、デフォーカス量演算手段７０は、図９に示すように第１の温度センサ３０により検出された焦点検出ユニット１０の温度Ｔ１又は第２の温度センサ３１により検出されたカメラボディ２の外装近傍温度Ｔ２が高くなるに従って補正最大値Ｈａが低下する関係を予め記憶する。なお、図９は焦点検出ユニット１０の温度Ｔ１に対する補正最大値Ｈａを示す。この補正最大値Ｈａは、焦点検出ユニット１０の温度Ｔ１がＴ１（＝Ｔｎ）以下において上限値Ｈａｍが設定され、かつ補正上限温度Ｔｍ１以上において「０」となる。補正最大値Ｈａの上限値Ｈａｍは、焦点検出ユニット１０の温度Ｔ１が例えば氷点下数十度の異常な低温になったときの誤補正を防止するために設定されている。
【００３６】
しかるに、デフォーカス量演算手段７０は、図９に示す焦点検出ユニット１０の温度Ｔ１に対する補正最大値Ｈａの関係に従い、電源投入時の第１の温度センサ３０により検出された焦点検出ユニット１０の温度Ｔ１に対応するデフォーカス量補正最大値Ｃomp maxを求める。
【００３７】
又、デフォーカス量演算手段７０は、図１０に示すように第１の温度センサ３０により検出された焦点検出ユニット１０の温度Ｔ１と第２の温度センサ３１により検出されたカメラボディ２の外装近傍温度Ｔ２との差（Ｔ１−Ｔ２）が大きくなるに従ってデフォーカス量補正初期値Ｈｂがデフォーカス量補正最大値Ｃomp maxから低下する関係を作成する。
【００３８】
この焦点検出ユニット１０の温度Ｔ１とカメラボディ２の外装近傍温度Ｔ２との温度差（Ｔ１−Ｔ２）に対するデフォーカス量補正初期値Ｈｂの関係は、温度差（Ｔ１−Ｔ２）が「０」以下、すなわちカメラボディ２の外装近傍温度Ｔ２が焦点検出ユニット１０の温度Ｔ１よりも高い（Ｔ２＞Ｔ１）場合において一定のデフォーカス量補正最大値Ｃomp maxに設定される。又、温度差（Ｔ１−Ｔ２）が予め設定された上限温度差Ｔｍ２以上になると、デフォーカス量補正初期値Ｈｂは、「０」に設定されている。
【００３９】
しかるに、デフォーカス量演算手段７０は、図１０に示す温度差（Ｔ１−Ｔ２）に対するデフォーカス量補正初期値Ｈｂの関係に従い、焦点検出ユニット１０の温度Ｔ１とカメラボディ２の外装近傍温度Ｔ２との温度差（Ｔ１−Ｔ２＝ΔＴ）に対応するデフォーカス量補正初期値Ｃomp iniを求める。このデフォーカス量補正初期値Ｃomp iniは、焦点検出ユニット１０の温度Ｔ１とカメラボディ２の外装近傍温度Ｔ２との温度差（Ｔ１−Ｔ２＝ΔＴ）が小さい程、大きく設定される。  
又、デフォーカス量補正初期値Ｈｂは、温度差（Ｔ１−Ｔ２）が予め設定された上限温度差Ｔｍ２以上になると「０」に設定されるので、デフォーカス量演算手段７０は、温度差（Ｔ１−Ｔ２）が予め設定された上限温度差Ｔｍ２以下であるときにのみデフォーカス量の補正を行うように設定される。
【００４０】
又、デフォーカス量補正初期値Ｈｂは、カメラボディ２の外装近傍温度Ｔ２が焦点検出ユニット１０の温度Ｔ１よりも高い（Ｔ２＞Ｔ１）場合において一定のデフォーカス量補正最大値Ｃomp maxに設定されるので、デフォーカス量演算手段７０は、当該（Ｔ２＞Ｔ１）場合、デフォーカス量補正初期値Ｈｂを一定のデフォーカス量補正最大値Ｃomp maxに制限する。
【００４１】
デフォーカス量演算手段７０は、図１１に示すようにデフォーカス量補正初期値Ｃomp iniを最大値に設定し、タイマー５５による経過時間の計測と共にデフォーカス量補正値Ｃomp(t)を小さく設定する。すなわち、デフォーカス量演算手段７０は、図１１に示すようにタイマー５５により計測された経過時間が過ぎるに従ってデフォーカス量補正値Ｈｃがデフォーカス量補正初期値Ｃomp iniから低下する関係を作成する。このデフォーカス量補正値Ｈｃは、デフォーカス量補正初期値Ｃomp iniから時間の経過と共に低下し、予め設定された上限時間ｔｍａｘになると、「０」に設定される。  
しかるに、デフォーカス量演算手段７０は、当該経過時間に対するデフォーカス量補正値Ｈｃの関係に従ってタイマー５５により計測された経過時間に対応するデフォーカス量補正値Ｃomp(t)を求める。この場合、デフォーカス量補正値Ｈｃは、予め設定された上限時間ｔｍａｘになると「０」に設定されているので、デフォーカス量演算手段７０は、タイマー５５により計測された経過時間が所定時間内すなわち予め設定された上限時間ｔｍａｘ内のときのみにデフォーカス量の補正を行うものとなる。
【００４２】
次に、上記の如く構成されたカメラ１の動作について図１２に示すメインルーチンのフローチャートに従って説明する。  
カメラボディ側コントローラ１１は、電源オン時に、ステップＳ１において、初期化を行う。この初期化は、図１３に示す初期化ルーチンのフローチャートに従って行う。すなわち、カメラボディ側コントローラ１１は、ステップＳ２０において、コントローラ内の各ブロック、例えばＲＡＭ５２、ＥＥＰＲＯＭ５３、Ａ／Ｄコンバータ５４、タイマー５５等の初期化を行う。  
次に、カメラボディ側コントローラ１１は、ステップＳ２１において、第１の温度センサ３０により検出された焦点検出ユニット１０の温度Ｔ１を読み込むと共に、第２の温度センサ３１により検出されたカメラボディ２の外装近傍温度Ｔ２を読み込む。カメラボディ側コントローラ１１は、焦点検出ユニット１０の温度Ｔ１とカメラボディ２の外装近傍温度Ｔ２とを例えばＲＡＭ５２に記憶する。
【００４３】
次に、カメラボディ側コントローラ１１のデフォーカス量演算手段７０は、ステップＳ２２において、例えばＲＡＭ５２から焦点検出ユニット１０の温度Ｔ１を読み出し、図９に示す焦点検出ユニット１０の温度Ｔ１に対する補正最大値Ｈａの関係に従い、電源投入時の第１の温度センサ３０により検出された焦点検出ユニット１０の温度Ｔ１に対応するデフォーカス量補正最大値Ｃomp maxを求める。
【００４４】
次に、デフォーカス量演算手段７０は、ステップＳ２３において、図１０に示すようにカメラボディ２の外装近傍温度Ｔ２が焦点検出ユニット１０の温度Ｔ１よりも高い（Ｔ２＞Ｔ１）場合において一定のデフォーカス量補正最大値Ｃomp maxに設定され、かつ当該デフォーカス量補正最大値Ｃomp maxから焦点検出ユニット１０の温度Ｔ１とカメラボディ２の外装近傍温度Ｔ２との差（Ｔ１−Ｔ２）が大きくなるに従って低下する関係のデフォーカス量補正初期値Ｈｂを作成する。  
次に、デフォーカス量演算手段７０は、図１０に示す温度差（Ｔ１−Ｔ２）に対するデフォーカス量補正初期値Ｈｂの関係に従い、焦点検出ユニット１０の温度Ｔ１とカメラボディ２の外装近傍温度Ｔ２との温度差（Ｔ１−Ｔ２＝ΔＴ）に対応するデフォーカス量補正初期値Ｃomp iniを求める。
【００４５】
次に、カメラボディ側コントローラ１１は、ステップＳ２４において、ＡＦセンサ２６の電源をオンする。  
次に、カメラボディ側コントローラ１１は、ステップＳ２５において、タイマー５５のカウントをスタートする。
【００４６】
次に、カメラボディ側コントローラ１１は、図１２に示すフローチャートのステップＳ２に移り、ファーストレリーズスイッチ６２がオンになったか否かを判断する。この判断の結果、ファーストレリーズスイッチ６２がオンされると、カメラボディ側コントローラ１１は、ステップＳ３に移り、図１４に示す測距動作のフローチャートに従って測距動作を行う。すなわち、カメラボディ側コントローラ１１は、ステップＳ３０において、ＡＦセンサ２６に対して積分動作を開始させる。
【００４７】
次に、カメラボディ側コントローラ１１は、ステップＳ３０１においてＡＦセンサ２６からの積分終了を示す信号をチェックし、積分終了していなければ、ステップＳ３１において、ＡＦセンサ２６に対して積分動作を開始してからの時間が所定の積分リミット時間を経過したか否かを判断する。この判断の結果、ＡＦセンサ２６の積分時間が所定の積分リミット時間を経過していなければ、カメラボディ側コントローラ１１は、ステップＳ３０１に移り、積分終了をチェックする。一方、ＡＦセンサ２６の積分時間が所定の積分リミット時間を経過すれば、カメラボディ側コントローラ１１は、ステップＳ３２に移り、ＡＦセンサ２６に対する積分動作を強制的に終了し、ステップＳ３３において、ＡＦセンサ２６の出力信号を読み出す。また、ステップＳ３０１において積分終了していた場合には、ステップＳ３３に進み、ＡＦセンサ２６の出力信号を読み出す。
【００４８】
すなわち、図２に示すように撮影レンズ１４の領域１４ａ又は領域１４ｂを介して入射された被写体からの光束は、視野マスク２０、コンデンサレンズ２２、セパレータ絞り２４の開口部２４ａとセパレータレンズ２５ａ、又はセパレータ絞り２４の開口部２４ｂとセパレータレンズ２５ｂを通ってＡＦセンサ２６に入射する。このＡＦセンサ２６に入射した光束は、第１の光電変換素子アレイ２７ａ上と第２の光電変換素子アレイ２７ｂ上とに再結像される。
【００４９】
このとき、撮影レンズ１４が合焦位置にあって、結像面Ｇ上に被写体像Ｉが形成される場合、被写体像Ｉは、コンデンサレンズ２２及びセパレータレンズ２５ａ、２５ｂによって光軸Ｐに対して垂直な２次結像面の第１と第２の光電変換素子アレイ２７ａ、２７ｂ上に再結像されて第１の像Ｉ１、第２の像Ｉ２になる。  
撮影レンズ１４が前ピン位置にあって、結像面Ｇの前方に被写体像Ｆが形成される場合、この被写体像Ｆは、お互いにより光軸Ｐに近付いた形で光軸Ｐに対して垂直に再結像されて第１の像Ｆ１、第２の像Ｆ２になる。  
撮影レンズ１４が後ピン位置にあって、結像面Ｇの後方に被写体像Ｒが形成される場合、この被写体像Ｒは、お互いにより光軸Ｐから離れた形で光軸Ｐに対して垂直に再結像されて第１の像Ｒ１、第２の像Ｒ２になる。
【００５０】
しかるに、カメラボディ側コントローラ１１は、ステップＳ３４において、光電変換素子アレイ２７の出力信号に基づいて第１の像Ｉ１と第２の像Ｉ２、第１の像Ｆ１と第２の像Ｆ２、又は第１の像Ｒ１と第２の像Ｒ２の光強度分布を求め、この光強度分布から第１の像Ｉ１と第２の像Ｉ２、第１の像Ｆ１と第２の像Ｆ２、又は第１の像Ｒ１と第２の像Ｒ２の間隔を測定して焦点状態を検出し、補正前のデフォーカス量を演算する。
【００５１】
次に、デフォーカス量演算手段７０は、ステップＳ３５において、上記ステップＳ２３において求めたデフォーカス量補正初期値Ｃomp iniを読み出し、図１１に示すように経過時間が過ぎるに従ってデフォーカス量補正値Ｈｃがデフォーカス量補正初期値Ｃomp iniから低下する関係を作成する。  
次に、デフォーカス量演算手段７０は、ステップＳ３６において、上記ステップＳ２５においてカウントをスタートしたタイマー５５のカウント値、すなわちタイマー５５により計測された経過時間を読み出す。
【００５２】
次に、デフォーカス量演算手段７０は、ステップＳ３７において、タイマー５５により計測された経過時間が図１１に示す予め設定された上限時間ｔｍａｘに達したか否かを判断する。この判断の結果、経過時間が上限時間ｔｍａｘに達していなければ、デフォーカス量演算手段７０は、ステップＳ３８に移り、図１１に示すタイマー５５により計測された経過時間に対するデフォーカス量補正値Ｈｃの関係に従ってタイマー５５により計測された現時点の経過時間に対応するデフォーカス量補正値Ｃomp(t)を求める。
【００５３】
次に、カメラボディ側コントローラ１１は、デフォーカス量補正値Ｃomp(t)に基いて補正前のデフォーカス量を補正し、補正後のデフォーカス量により合焦状態を検出し合焦の場合は合焦状態を記憶する。また、非合焦の場合は非合焦状態を記憶するとともに、合焦とするためのレンズ駆動量を演算する。さらに信頼性が低い等の理由で焦点状態の検出が不能の際は検出不能であることを記憶する。
【００５４】
次に、カメラボディ側コントローラ１１は、図１２に示すフローチャートのステップＳ４に移り、上記上記ステップＳ３の測距動作の結果を参照し、合焦状態であれば、カメラボディ側コントローラ１１は、ステップＳ５に移り、露出量を決定するために測光部５６を動作させて被写体の輝度を測定する測光を行う。  
次に、カメラボディ側コントローラ１１は、ステップＳ６において、セカンドレリーズスイッチ６３がオンされたか否かを判断する。この判断の結果、セカンドレリーズスイッチ６３がオンされると、カメラボディ側コントローラ１１は、ステップＳ７に移り、露光が行われる。すなわち、カメラボディ側コントローラ１１は、上記ステップＳ５で求めた測光値などに基いて決定された絞り値を交換レンズ３に送信する。この交換レンズ３では、撮影レンズ１４の絞り１５を所定の絞り値に絞り込み、続いて、上記ステップＳ５で求められた測光値などに基いて決定された所定時間だけシャッタ８を開放して露光動作を行う。この露光時には、上記測光値に基いてストロボ発光が必要であるかが判断され、必要な場合は、シャッタ全開状態でストロボ部５７に発光信号を出力して発光を行う。
【００５５】
シャッタ動作が終了すると、カメラボディ側コントローラ１１は、ステップＳ８において、絞り１５を閉じた状態に戻した後、撮像素子駆動部６０によって撮像素子９から画像データを読み出して一連の撮影動作を終了する。  
カメラボディ側コントローラ１１は、ステップＳ９において、スリープ状態に移行するためのスリープ時間が経過したか否かを判断し、スリープ時間が経過していなければ、上記ステップＳ２に戻り、スリープ時間が経過すれば、スリープ状態に移行する。
【００５６】
なお、カメラボディ側コントローラ１１は、上記ステップＳ２での判断の結果、ファーストレリーズスイッチ６２がオンでなければ、ステップＳ１０に移り、上記同様に、図１４に示す測距動作のフローチャートに従って測距動作を行う。  
又、カメラボディ側コントローラ１１は、上記ステップＳ４での測距動作の結果を参照し、合焦状態でなければ、ステップＳ１１に移って合焦不能であるか否かを参照し、合焦不能でなければ、ステップＳ１２に移り、撮影レンズ１４の駆動制御を実行する。
【００５７】
このように上記一実施の形態によれば、第１の温度センサ３０によりカメラボディ２内の温度を検出すると共に、第２の温度センサ３１によりカメラボディ２の外装近傍の温度を検出し、タイマー５５によりＡＦセンサ２６の光電変換素子アレイ２７に電源投入してからの経過時間を計測し、デフォーカス量演算手段７０によって電源投入時に第１の温度センサ３０により検出されたカメラボディ２内の温度と第２の温度センサ３１により検出されたカメラボディ２の外装近傍の温度とに基づいてデフォーカス量補正初期値Ｃomp iniを求め、このデフォーカス量補正初期値Ｃomp iniとタイマー５５により計測された経過時間とに基づいてデフォーカス量補正値Ｃomp(t)を求め、このデフォーカス量補正値Ｃomp(t)によって撮影レンズ１４のデフォーカス量を補正するので、カメラの電源を投入してからカメラボディ２内の温度が平衡状態に達するまでの過渡状態においても正確な温度補正が可能で高精度の焦点調節を行うことができる。
【００５８】
すなわち、上記図８に示すように電源オンオフに伴う焦点検出ユニット１０の温度変化は、カメラボディ２内の温度Ｔ１が環境温度Ｔｆとほぼ等しい状態から電源をオンするコールド・スタートと、カメラボディ２が暖まっている状態から短時間だけ電源を切断し、再び電源をオンするウォーム・スタートとがあるが、コールド・スタート又はウォーム・スタートのいずれのスタートであってもカメラボディ２内の温度とカメラボディ２の外装近傍の温度との温度差に基づいてデフォーカス量補正初期値Ｃomp iniを求め、さらに電源オンからの時間経過に従ったカメラボディ２内の温度上昇を考慮してデフォーカス量補正初期値Ｃomp iniとタイマー５５により計測された経過時間とに基づいてデフォーカス量補正値Ｃomp(t)を求めることができる。
【００５９】
従って、最終的に求められるデフォーカス量補正値Ｃomp(t)は、コールド・スタート又はウォーム・スタートと、電源オンからの時間経過に従ったカメラボディ２内の温度上昇とを考慮して求められる。この結果、当該デフォーカス量補正値Ｃomp(t)によって撮影レンズ１４のデフォーカス量を補正することにより、コールド・スタート又はウォーム・スタートのいずれのスタートであっても正確な温度補正が可能で高精度の焦点調節を行うことができる。
【００６０】
デフォーカス量演算手段７０は、図１０に示すように第１の温度センサ３０によりカメラボディ２内の温度と第２の温度センサ３１によりカメラボディ２の外装近傍の温度との温度差が小さい程、例えばコールド・スタートよりもウォーム・スタートの方がデフォーカス量補正初期値Ｃomp iniを小さく大きくするので、コールド・スタート又はウォーム・スタートに応じたデフォーカス量補正初期値Ｃomp iniを求め、このデフォーカス量補正初期値Ｃomp iniからカメラボディ２内の温度に応じた適切な撮影レンズ１４のデフォーカス量を求めることができる。
【００６１】
デフォーカス量演算手段７０は、図１０に示すように第１の温度センサ３０によりカメラボディ２内の温度と第２の温度センサ３１によりカメラボディ２の外装近傍の温度との温度差が所定値より小さいときにのみデフォーカス量の補正を行うので、ウォーム・スタート時における過剰な補正を防止できると共に、このときのデフォーカス量の補正を行うための不要な演算を行うことがない。  
デフォーカス量演算手段７０は、第１の温度センサ３０によりカメラボディ２内の温度が第２の温度センサ３１によりカメラボディ２の外装近傍の温度よりも低いと、図１０に示すようにデフォーカス量補正初期値Ｃomp iniをデフォーカス量補正最大値Ｃomp maxに制限するので、第１の温度センサ３０及び第２の温度センサ３１のばらつきによるコールド・スタート時の誤補正を防止して適切な撮影レンズ１４のデフォーカス量を求めることができる。
【００６２】
デフォーカス量演算手段７０は、図１１に示すようにタイマー５５により計測された経過時間が所定時間、例えば上限時間ｔｍａｘ内のときのみにデフォーカス量の補正を行うので、過剰な補正や、この過剰な補正のための不必要な演算を行うことがない。
【００６３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６４】
【図１】本発明に係るカメラの一実施の形態を示す構成図。
【図２】同カメラにおける焦点検出装置の焦点検出光学系を示す構成図。
【図３】同カメラにおけるＡＦセンサ及びカメラボディ側コントローラを示すブロック構成図。
【図４】同カメラにおけるカメラボディ側コントローラに有するデフォーカス量演算手段を示す機能ブロック図。
【図５】同カメラにおけるカメラボディ内の温度が平衡状態にあるときの焦点検出装置とデフォーカス量との関係を示す図。
【図６】同カメラにおける電源オンオフによるＡＦセンサの温度とカメラボディ内の温度とカメラボディの環境温度との各温度変化を示す図。
【図７】同カメラにおける電源オンからカメラボディ内の温度が過渡状態から平衡状態に移行するときのデフォーカス量の変化を示す図。
【図８】同カメラにおける電源オンオフに伴う焦点検出装置の温度変化を示す図。
【図９】同カメラにおけるデフォーカス量演算手段によるデフォーカス量補正最大値の算出を示す図。
【図１０】同カメラにおけるデフォーカス量演算手段によるデフォーカス量補正初期値の算出を示す図。
【図１１】同カメラにおけるデフォーカス量演算手段によるデフォーカス量補正値の算出を示す図。
【図１２】同カメラにおけるメインルーチンを示すフローチャート。
【図１３】同カメラにおける初期化ルーチンを示すフローチャート。
【図１４】同カメラにおける測距動作のフローチャート。
【符号の説明】
【００６５】
１：カメラ、２：カメラボディ、３：交換レンズ、４：サブミラー、５：メインミラー、６：ペンタプリズム、７：ファインダ、８：シャッタ、９：撮像素子、１０：焦点検出ユニット、１１：カメラボディ側コントローラ、１２：フォーカスレンズ、１３：ズーム系レンズ、１４：撮影レンズ、１５：絞り、１６：ズームリング、２０：視野マスク、２１：赤外カットフィルタ、２２：コンデンサレンズ、２３：全反射ミラー、２４：セパレータ絞り、２５：セパレータレンズ、２６：オートフォーカス（ＡＦ）センサ、２４ａ，２４ｂ：セパレータ絞りの開口、２５ａ，２５ｂ：セパレータレンズ、１４ａ，１４ｂ：撮影レンズの領域、２７：光電変換素子アレイ、２７ａ：第１の光電変換素子アレイ、２７ｂ：第２の光電変換素子アレイ、３０：第１の温度センサ、３１：第２の温度センサ、４０：センサ処理回路、５０：ＣＰＵ（中央処理装置）、５１：ＲＯＭ、５２：ＲＡＭ、５３：ＥＥＰＲＯＭ、５４：Ａ／Ｄコンバータ、５５：タイマー、５６：測光部、５７：ストロボ部、５８：ミラー駆動部、５９：シャッタ駆動部、６０：撮像素子駆動部、６１：表示部、６２：ファーストレリーズスイッチ、６３：セカンドレリーズスイッチ、７０：デフォーカス量演算手段。
【図１】
2010039373.tif 000003
【図２】
2010039373.tif 000004
【図３】
2010039373.tif 000005
【図４】
2010039373.tif 000006
【図５】
2010039373.tif 000007
【図６】
2010039373.tif 000008
【図７】
2010039373.tif 000009
【図８】
2010039373.tif 000010
【図９】
2010039373.tif 000011
【図１０】
2010039373.tif 000012
【図１１】
2010039373.tif 000013
【図１２】
2010039373.tif 000014
【図１３】
2010039373.tif 000015
【図１４】
2010039373.tif 000016